(57)【要約】【課題】枕本体の中央，上下，左右の隔室をファスナで開閉可能し、樹脂製ビーズをクッション材とし、クッション材を中袋に入れるような枕本体と別体の部品点数を少なくし、各隔室を開けることによるクッション材のこぼれ出しを防げてクッション材の出入れを容易に行えるよう構成する。【解決手段】上下の隔室１１，１２にはファスナ１５ｂ，１６ｂによる出入れ口を形成した中袋１５ａ，１６ａを収納乃至は取出し可能に備え付け、中央の隔室１０には少なくとも上下いずれか一方の隔室１１，１２と枕本体１の内部で連通する貼合せファスナ３による出入れ口兼開閉口を設け、左右の隔室１３，１４には長袖筒１７ａ，１８ａを収納乃至は引出し可能に備え付け、上下の隔室１１，１２にはクッション材を中袋１５ａ，１６ａに入れて収納し、中央並びに左右の隔室１０、１３，１４にはクッション材を直接装填してなる。【選択図】図１
0003119266.tif 000002
【実用新案登録請求の範囲】
【請求項１】
横長方形の枕本体を中央，上下，左右と五つの隔室に分けて縫製すると共に、ファスナによる開閉口を各室に設け、ポリエチレン製ビーズ等の粒形態を有するクッション材を装填物とし、クッション材の装填量を使用者の好みに応じて各室毎に変えられる高さ調整自在枕において、
上下の隔室にはファスナによるクッション材の出入れ口を形成した中袋を各室の外郭縁に設けたファスナによる開閉口より収納乃至は取出し可能に備え付け、中央の隔室には少なくとも上下いずれか一方の隔室と枕本体の内部で連通する貼合せファスナによるクッション材の出入れ口兼開閉口を設け、左右の隔室には内端側を各室の内側に縫着し、且つ、ファスナによるクッション材の出入れ口を外端側に形成した長袖筒を各室の外郭縁に設けたファスナによる開閉口より収納乃至は引出し可能に備え付け、
上下の隔室にはクッション材を中袋に入れて収納し、中央並びに左右の隔室にはクッション材を直接装填してなることを特徴とする高さ調整自在枕。
【考案の詳細な説明】
【技術分野】
【０００１】
本考案は、ポリエチレン製ビーズ等の粒形態を有するクッション材を装填物とし、枕本体の高さを使用者の好みに応じて変えられる高さ調整自在枕に関するものである。
【背景技術】
【０００２】
従来、横長方形の枕本体を中央，上下，左右と五つの隔室に分けて縫製し、肉厚の異なる複数の芯ユニットを重ねて五つの各室毎に収納乃至は取出し可能に備え付け、使用者の好みに応じて芯ユニットの重ね収納数を選択することから、各室の高さを変えられる高さ調整自在枕が知られている（特許文献１）。
【０００３】
その他に、枕本体を基体部，被覆部の上下二段に分けると共に、被覆部を中央上下，左右と四つの隔室に分けて縫製し、ファスナによるクッション材の出入れ口を形成した中袋を四つの各室毎に収納乃至は取出し可能に備え付け、中袋に入れるクッション材の装填量を調節することから、各室の高さを変えられる高さ調整自在枕も知られている（特許文献２）。
【０００４】
上述したいずれの枕でも、芯ユニットまたは中袋を五つまたは四つの各室毎に収納乃至は取出し可能に備え付けるものであるため、枕本体と別体の部品点数が多くて洗濯等の手入れに手間が掛かる。特に、前者の枕にあっては、肉厚の異なる複数の芯ユニットを重ねて五つの各室毎に収納乃至は取出し可能に備え付けるものであるため、枕本体と別体の部品点数が極めて多くなる。
【特許文献１】実用新案登録第３０２５９６３号
【特許文献２】実用新案登録第３０７４８２３号
【考案の開示】
【考案が解決しようとする課題】
【０００５】
本考案の解決しようとする課題は、横長方形の枕本体を中央，上下，左右と五つの隔室に分けて各室をファスナで開閉可能に縫製すると共に、弾性，復元性に富むポリエチレン製ビーズを好適なクッション材として各室に装填することから、隔室の高さを使用者の好みに応じて微調整可能に形成し、クッション材を中袋に入れるような枕本体と別体の部品点数を少なくしながらも、隔室を開けることによるクッション材のこぼれ出しを防げてクッション材の出入れを手軽に行える高さ調整自在枕を構成することにある。
【課題を解決するための手段】
【０００６】
本願の請求項１は、横長方形の枕本体を中央，上下，左右と五つの隔室に分けて縫製すると共に、ファスナによる開閉口を各室に設け、ポリエチレン製ビーズ等の粒形態を有するクッション材を装填物とし、クッション材の装填量を使用者の好みに応じて各室毎に変えられる高さ調整自在枕において、
上下の隔室にはファスナによるクッション材の出入れ口を形成した中袋を各室の外郭縁に設けたファスナによる開閉口より収納乃至は取出し可能に備え付け、中央の隔室には少なくとも上下いずれか一方の隔室と枕本体の内部で連通する貼合せファスナによるクッション材の出入れ口兼開閉口を設け、左右の隔室には内端側を各室の内側に縫着し、且つ、ファスナによるクッション材の出入れ口を外端側に形成した長袖筒を各室の外郭縁に設けたファスナによる開閉口より収納乃至は引出し可能に備え付け、
上下の隔室にはクッション材を中袋に入れて収納し、中央並びに左右の隔室にはクッション材を直接装填してなることを特徴とする。
【考案の効果】
【０００７】
本考案に係る高さ調整自在枕によれば、上下の隔室が使用者の好みに応じて高さ調整の要求が多く、左右の隔室は比較的標準的に定められることに着目し、上下の隔室にはクッション材を中袋に入れて収納するため、中袋を枕本体より取り出すことからクッション材を必要都度手軽に出入れ調整できる。
【０００８】
中央の隔室には、少なくとも上下いずれか一方の隔室と枕本体の内部で連通する貼合せファスナによるクッション材の出入れ口兼開閉口を設け、左右の隔室にはファスナによるクッション材の出入れ口を外端側に形成した長袖筒を各室の外郭縁に設けたファスナによる開閉口より収納乃至は引出し可能に備え付けることから、クッション材を直接装填するため、枕本体と別体の部品点数を少なくできる。
【０００９】
それと共に、ポリエチレン製ビーズを好適なクッション材として装填することから、各隔室の高さを使用者の好みに応じて微調整するようにできる。また、中央の各室には貼合せファスナによるクッション材の出入れ口兼開閉口を設けるため、スライドファスナを表面中央に取り付ける場合のようなスライドファスナによる違和感を使用者に与えない。
【００１０】
そのクッション材を出し入れするに、中央の隔室にあっては、上下いずれかの隔室より中袋を取り出し、クッション材の出入れ口兼開閉口を貼合せファスナで開くことから上下いずれかの隔室の内部で行える。左右の隔室にあっては、長袖筒を開閉口より引き出すことから長袖筒の内部で行える。このため、クッション材を中央並びに左右の隔室に直接装填しても、各隔室をファスナで開くことによるクッション材のこぼれ出しを防げると共に、クッション材の出入れを隔室の内部，長袖筒の内部で容易に行える。
【考案を実施するための最良の形態】
【００１１】
図示の枕は、図１並びに図２で示すように枕本体１が上下の表布地１ａ，１ｂと左右の側面布地１ｃ，１ｄとから横長方形を呈するよう縫製されている。その布地１ａ〜１ｄとしては、マイナスイオンの発生，遠赤外線の放射，消臭効果を発揮する炭成分を練り込んだ繊維により、通気性を有するハニカム構造に織成したメッシュ生地を用いるとよい。
【００１２】
クッション材としては、弾性，復元性に富む直径６ｍｍ，長さ８ｍｍ程度の大きさを有する円筒状のポリエチレン製ビーズを用いるとよい。この他に、籾殻，そば殻，ヒノキチップ，ウレタンチップ等の粒形態を有するクッション材を装填物として用いるようにもできる。
【００１３】
枕本体１は、中央の隔室１０，上下の隔室１１，１２，左右の隔室１３，１４と五つの隔室に分けて縫製されている。この隔室１０〜１４は、図３で示すように隔壁用のまち布１ｅを上下の表布地１ａ，１ｂに縫い付けることから、各室が膨らみを持てるよう縫製されている。各隔室１０〜１４を縫製する縫目線ｌ１〜ｌ４は、上下の表布地１ａ，１ｂで同じ形状に現れるよう形成されている。
【００１４】
上下の隔室１１，１２は、縫込み点，縫出し点を上下の外郭縁で枕本体１の角部寄りに設定した円弧状の縫目線ｌ１，ｌ２で中央の隔室１０に向けて膨らむと共に、隔室１３，１４の上下寄り左右部位を狭めるよう略三日月形に縫製されている。左右の隔室１３，１４は、縫目線ｌ１，ｌ２の縫込み点，縫出し点と同じくする円弧状の縫目線ｌ３，ｌ４で中央の隔室１０に向けて膨らむよう略台形に縫製されている。これらの縫目線ｌ１〜ｌ４により、中央の隔室１０は各辺の内側に湾曲した平面星芒型を呈するよう形成されている。
【００１５】
上下，左右の隔室１１〜１４には、各室の外郭縁に設けたスライドファスナ２ａ〜２ｄによる開閉口が設けられている。このスライドファスナ２ａ〜２ｄは、上下，左右の隔室１１〜１４を専ら開け閉めするためのものであり、クッション材を出し入れするものとして設けられていない。そのスライドファスナ２ａ〜２ｄのうち、左右の隔室用２ｃ（図２参照）は下表布地１ｂと側面布地１ｃとの縫い合せ目に介在させて縫い付けられている。
【００１６】
中央の隔室１０には、少なくとも上下いずれか一方の隔室１１，１２と枕本体１の内部で連通する貼合せファスナ３によるクッション材の出入れ口兼開閉口が設けられている。図示実施の形態では、貼合せファスナ３によるクッション材Ｃの出入れ口兼開閉口が上隔室１１と連通するよう設けられている。この貼合せファスナ３は、まち布１ｅ（図３参照）の縫い合せ目に介在させて縫い付けられている。
【００１７】
上下の隔室１１，１２には、中袋１５ａ，１６ａが各室の外郭縁に設けたスライドファスナ２ａ，２ｂによる開閉口より内側に収納乃至は外側に取出し可能に備え付けられている。中袋１５ａ，１６ａは、スライドファスナ１５ｂ，１６ｂによるクッション材の出入れ口を外縁辺に各々形成することから、クッション材を内部に収容するものとして備え付けられている。スライドファスナ１５ｂ，１６ｂは、中袋１５ａ，１６ａの片端寄りに配置させて外縁辺に縫い付けられている。
【００１８】
左右の隔室１３，１４には、長袖筒１７ａ，１８ａが各室の外郭縁に設けたスライドファスナ２ｃ，２ｄによる開閉口より内側に収納乃至は外側に引出し可能に備え付けられている。この長袖筒１７ａ，１８ａは、図４で示す（片側のみ図示）ように内端側をスライドファスナ２ｃによる開閉口に合わせて隔室１３の内側に縫着し、且つ、スライドファスナ１７ｂによるクッション材Ｃの出入れ口を外端側に形成することから、クッション材を隔室１３，１４の内部に直接装填し乃至は内部より直接取り出すものとして備え付けられている。
【００１９】
このように構成する枕では、中央の隔室１０はクッション材の装填量を１００ｇ程度に、上隔室１１の中袋１５ａはクッション材の装填量を１２０ｇ程度に、下隔室１２の中袋１６ａはクッション材の装填量を１８０ｇ程度に、左右の隔室１３，１４はクッション材の装填量を４５０ｇ程度に設定するようにできる。
【００２０】
その装填量は、使用者の頭部から頚部を安定よく支持するという観点から、後頭部を支持する中央の隔室１０を最も低く、頚部を支持する上下の隔室１１，１２を中央の隔室１０よりも多少高く、側頭部を支持する左右の隔室１３，１４を最も高く設定したことによる。上下の隔室１１，１２における差は、上隔室１１を女性用，下隔室１２を男性用として体形の相違に合わせ、また、男女を問わないで好みに応じて高さ選択可能に設定したことによる。この使用の際には、上下の隔室１３，１４が上下逆向きとなる。
【００２１】
そのクッション材の装填量と共に、中央の隔室１０が各辺の内側に湾曲した平面星芒型を呈するよう形成されているため、中央の隔室１０で支持する使用者の後頭部を中心に、上下の隔室１１，１２で支持する頚部並びに頭頂部、左右の隔室で支持する側頭部を含んで各部全体を安定よく支持できる。また、上下の隔室１１，１２が左右の隔室１３，１４よりも相対的に低い高さの略三日月形に縫製されているため、左右の高い高さの隔室１３，１４が頚部近く両肩部を圧迫することも防げる。
【００２２】
その枕では、クッション材を中袋１５ａ，１６ａに入れて上下の隔室１１，１２に収納するものの、上隔室１１と枕本体１の内部で連通する貼合せファスナ３によるクッション材の出入れ口兼開閉口を設けてクッション材Ｃを中央の隔室に直接装填する。また、スライドファスナ１７ｂ，１８ｂによるクッション材Ｃの出入れ口を外端側に形成した長袖筒１７ａ，１８ａを左右の隔室１３，１４の外郭縁に設けたスライドファスナ２ｃ，２ｄによる開閉口より収納乃至は引出し可能に備え付けてクッション材を直接装填するため、枕本体１と別体の部品点数を少なくできる。
【００２３】
そのクッション材の出入れ調整にあたっては、上下の隔室１１，１２にはクッション材を中袋１５ａ，１６ａに入れて収納するため、図５で示す（片側のみ図示）ようにスライドファスナ２ａによる開閉口を開けて中袋１５ａを枕本体１より取り出すと共に、中袋１５ａをスライドファスナ１５ｂで空けてクッション材を中袋１５ａより出し入れすればよい。この際、スライドファスナ１５ｂ，１６ｂの装着側を袋上側として袋全体を縦姿勢に持つことから、クッション材を袋底側に移動させて袋上側より出し入れすれば必要都度手軽に出入れ調整できる。
【００２４】
中央の隔室１０にあっては、上隔室１１より中袋１５ａを取り出し、クッション材の出入れ口兼開閉口を貼合せファスナ３で開くことから、クッション材の出入れ調整を上隔室１１の内部で行える。
【００２５】
左右の隔室１３，１４にあっては、図６で示す（片側のみ図示）ように長袖筒１７ａをスライドファスナ２ｃによる開閉口を開けて引き出すと共に、長袖筒１７ａのスライドファスナ１７ｂによる出入れ口を開けることから、長袖筒１７ａの内部で行える。
【００２６】
これにより、クッション材Ｃを中央並びに左右の隔室１０，１３，１４に直接装填しても、隔室１１、１３，１４をスライドファスナ２ａ、２ｃ，２ｄで開くことによるクッション材のこぼれ出しを防げると共に、クッション材Ｃの出入れを隔室１１の内部，長袖筒１７ａ，１８ａの内部で容易に行える。
【００２７】
それと共に、ポリエチレン製ビーズを好適なクッション材Ｃとして装填することから、各隔室１０〜１４の高さを使用者の好みに応じて微調整するようにできる。また、中央の隔室１０には貼合せファスナ３によるクッション材の出入れ口兼開閉口を設けるため、スライドファスナを表面中央に取り付ける場合のようなスライドファスナによる違和感を使用者に与えない。
【００２８】
上述した実施の形態では、中央の隔室１０におけるクッション材の出入れ口兼開閉口のみを貼合せファスナ３で形成する場合で説明したが、他のスライドファスナによる開閉口並びにクッション材の取出し口も貼合せファスナに代えて設けるようにできる。貼合せファスナ３によるクッション材の出入れ口兼開閉口は上隔室１１と連通させて設ける場合で説明したが、下隔室と連通させまたは双方に連通させて設けるようにもできる。
【図面の簡単な説明】
【００２９】
【図１】本考案に係る枕を示す平面図である。
【図２】図１の枕を示す側面図である。
【図３】図１の枕をＡ−Ａ線で示す断面図である。
【図４】図１の枕をＢ−Ｂ線で示す断面図である。
【図５】図１の枕を中袋の取出し状態で示す説明図である。
【図６】図１の枕を長袖筒の取出し状態で示す説明図である
【符号の説明】
【００３０】
１            枕本体
１０          中央の隔室
１１，１２    上下の隔室
１３，１４    左右の隔室
２ａ〜２ｄ    上下，左右隔室のファスナ
３            中央隔室の貼合せファスナ
１５ａ，１６ａ        中袋
１５ｂ，１６ｂ        中袋のファスナ
１７ａ，１８ａ        長袖筒
１７ｂ，１８ｂ        長袖筒のファスナ
Ｃ            クッション材
【図１】
0003119266.tif 000003
【図２】
0003119266.tif 000004
【図３】
0003119266.tif 000005
【図４】
0003119266.tif 000006
【図５】
0003119266.tif 000007
【図６】
0003119266.tif 000008